(57)【要約】【課題】例えば車室内に配置されるカップホルダー装置の改良に関するものである。【解決手段】カップホルダー装置１０には、取付ベース３０、ホルダー本体５０、ホルダーアーム６０を備える。ホルダーアーム６０には、ホルダー本体５０に対して一端部が回転可能に支持され、他端部に容器の底を載置可能な第１載置部１０２を有する第１アーム１００、第１アーム１００の他端部に一端部が第１リンク部１４０を介して回転可能に支持されるとともに、展開状態において、当該一端部に第１載置部１０２に連続して、容器の底を載置可能な第２載置部１１１を有する第２アーム１１０、第２アーム１１０の他端部に一端部が回転可能に支持され、他端部がホルダー本体５０に第２リンク部１５０を介して回転可能に支持される第３アーム１２０を備える。【選択図】　　図１
2004058812.tif 000002
【特許請求の範囲】
【請求項１】
取付ベースと、
前記取付ベースに対してスライド可能に保持され、前記取付ベース内に収納可能であるとともに、
前記取付ベースから引き出した状態で、容器を上方から受け入れて、受け入れた容器の側部を保持する容器保持部を有するホルダー本体と、
前記ホルダー本体を前記取付ベースから引き出した際に、前記容器保持部の下側に展開して、前記容器保持部から挿入された前記容器の底を載置可能であるとともに、
前記取付ベース内に収納した状態では、折り畳まれた状態で前記取付ベース内に収納可能なホルダーアームとを備えるカップホルダー装置において、
前記ホルダーアームには、
前記ホルダー本体に対して一端部が回転可能に支持され、他端部に前記容器の底を載置可能な第１載置部を有する第１アームと、
前記第１アームの前記他端部に一端部が第１リンク部を介して回転可能に支持されるとともに、前記展開状態において、当該一端部に前記第１載置部に連続して、前記容器の底を載置可能な第２載置部を有する第２アームと、
前記第２アームの他端部に一端部が回転可能に支持され、他端部が前記ホルダー本体に第２リンク部を介して回転可能に支持される第３アームとを備えていることを特徴とするカップホルダー装置。
【請求項２】
請求項１に記載のカップホルダー装置において、
前記第１リンク部は、
前記ホルダー本体のスライド方向と直交する第１水平軸と、
前記ホルダー本体のスライド方向に長く延び、前記第１水平軸を回転可能に支持する第１長穴とから構成されていることを特徴とするカップホルダー装置。
【請求項３】
請求項１又は請求項２に記載のカップホルダー装置において、
前記第２リンク部は、
前記ホルダー本体のスライド方向と直交する第２水平軸と、
前記ホルダー本体のスライド方向に長く延び、前記第２水平軸を回転可能に支持する第２長穴とから構成されていることを特徴とするカップホルダー装置。
【請求項４】
請求項１〜３のいずれか１項に記載のカップホルダー装置において、
前記ホルダーアームには、
前記ホルダーアームを前記折り畳み状態から前記展開状態に向かって付勢するための付勢手段を備えていることを特徴とするカップホルダー装置。
【請求項５】
請求項４に記載のカップホルダー装置において、
前記付勢手段は、
第１アームを、前記ホルダー本体に対して回転可能に支持された前記一端部を中心として下方に向かって回転させるための第１付勢手段と、
前記第１リンク部に位置し、前記第１載置部と前記第２載置部とを水平方向に連続するように展開するための第２付勢手段とを備えていることを特徴とするカップホルダー装置。
【請求項６】
請求項１〜５のいずれか１項に記載のカップホルダー装置において、
前記ホルダー本体は、
前記取付ベースにスライド可能に保持され、前記取付ベース内に収納可能なスライダーに対して、スライド可能に保持されていることを特徴とするカップホルダー装置。
【発明の詳細な説明】
【０００１】
【発明の属する技術分野】
この発明は、例えば車室内に配置されるカップホルダー装置の改良に関するものである。すなわち、カップの底を安定して保持することができるようにするために、載置部の長さをホルダー本体のスライド方向に延長することができるようにしたものである。
【０００２】
【従来の技術】
従来、ホルダー本体のカップ挿入穴の下側に、カップの底を載置するための載置部を有し、載置部をホルダー本体のスライドに連動させて折り畳み、展開可能にしたカップホルダー装置が知られている（例えば、特許文献１及び特許文献２参照）。
【０００３】
特許文献１の載置部は、トレイ４と、ガイドアーム５とから構成されている（特許文献１の２頁４欄７〜１５行、第１図）。
トレイ４は、断面く字形に屈曲し、アーム部４ａと、トレイ部４ｂとから構成されている（特許文献１の２頁４欄２４〜２８行、第１図）。
アーム部４ａは、支持軸８を介して、テーブル３に支持されている（特許文献１の２頁４欄２４〜２８行、第１図）。
【０００４】
トレイ部４ｂには、ガイド軸９が設けられ、ガイド軸９は、ガイドアーム５の長穴状のガイド穴５ａにスライド可能に支持される（特許文献１の２頁４欄３３〜３５行、第１図）。
ガイドアーム５は、支持軸１０を介して、テーブル３に支持されている（特許文献１の２頁４欄３６〜３８行、第１図）。
【０００５】
一方、特許文献２の載置部は、アーム１６と、受け具１７とから構成されている（特許文献２の２頁３欄４８行〜４欄６行、第１図）。
アーム１６は、ホルダバー１４を介して、本体１３の長孔１３ａにスライド可能に支持されている（特許文献２の２頁３欄４０〜４７行、第１図）。
アーム１６と受け具１７とは、リンク１９を介して、連結されている（特許文献２の２頁４欄４〜６行、第１図）。
【０００６】
受け具１７は、テーブル３に支持されている（特許文献１の第１図）。
（特許文献１）
特許第２６９１４２４号公報（請求項１、第２図）
（特許文献２）
実用新案登録第２５１０３８９号公報（請求項１、第１図）
【０００７】
【発明が解決しようとする課題】
しかし、上記した特許文献１及び特許文献２のものは、カップの底を載置するための載置部が短く、カップの安定性に欠けるおそれがあるという問題点がある。
そこで、各請求項にそれぞれ記載された各発明は、上記した従来の技術の有する問題点に鑑みてなされたものであり、その目的とするところは、次の点にある。
（請求項１）
すなわち、請求項１に記載の発明は、カップの底を載置するための載置部を二分割して、ホルダー本体の収納時には折り畳まれるようにすることで、収納性を損なうことがないように考慮し、ホルダー本体を引き出したときに、展開してカップの底を安定して保持することができるようにしたものである。
（請求項２）
請求項２に記載の発明は、上記した請求項１に記載の発明の目的に加え、次の点を目的とする。
【０００８】
すなわち、請求項２に記載の発明は、第１アームと第２アームとの間の第１リンク部の構造を簡便にすることができるようにしたものである。
（請求項３）
請求項３に記載の発明は、上記した請求項１又は請求項２に記載の発明の目的に加え、次の点を目的とする。
【０００９】
すなわち、請求項３に記載の発明は、ホルダー本体と第３アームとの間の第２リンク部の構造を簡便にすることができるようにしたものである。
（請求項４）
請求項４に記載の発明は、上記した請求項１〜３のいずれか１項に記載の発明の目的に加え、次の点を目的とする。
【００１０】
すなわち、請求項４に記載の発明は、付勢手段の付勢力を利用して、ホルダーアームを折り畳み状態からスムーズに展開することができるようにしたものである。
（請求項５）
請求項５に記載の発明は、上記した請求項４に記載の発明の目的に加え、次の点を目的とする。
【００１１】
すなわち、請求項５に記載の発明は、付勢手段の構造を簡便にすることができるようにしたものである。
（請求項６）
請求項６に記載の発明は、上記した請求項１〜５のいずれか１項に記載の発明の目的に加え、次の点を目的とする。
【００１２】
すなわち、請求項６に記載の発明は、取付ベースとホルダー本体との間に、スライダーを介在することで、取付ベースの奥行きに対するホルダー本体の引き出し長を延長することができるようにしたものである。
【００１３】
【課題を解決するための手段】
各請求項にそれぞれ記載された各発明は、上記した各目的を達成するためになされたものであり、各発明の特徴点を図面に示した発明の実施の形態を用いて、以下に説明する。
なお、カッコ内の符号は、発明の実施の形態において用いた符号を示し、本発明の技術的範囲を限定するものではない。
【００１４】
また、図面番号も、発明の実施の形態において用いた図番を示し、本発明の技術的範囲を限定するものではない。
（請求項１）
請求項１に記載の発明は、次の点を特徴とする。
第一に、カップホルダー装置（１０）は、例えば図１に示すように、次の構成を備える。
【００１５】
（１）取付ベース（３０）
（２）ホルダー本体（５０）
ホルダー本体（５０）は、例えば図１及び図５に示すように、取付ベース（３０）に対してスライド可能に保持され、取付ベース（３０）内に収納可能であるとともに、取付ベース（３０）から引き出した状態で、容器（例えばカップＣ）を上方から受け入れて、受け入れた容器（例えばカップＣ）の側部を保持する容器保持部（５１）を有する。
【００１６】
（３）ホルダーアーム（６０）
ホルダーアーム（６０）は、例えば図１に示すように、ホルダー本体（５０）を取付ベース（３０）から引き出した際に、容器保持部（５１）の下側に展開して、容器保持部（５１）から挿入された容器（例えばカップＣ）の底を載置可能であるとともに、例えば図５に示すように、取付ベース（３０）内に収納した状態では、折り畳まれた状態で取付ベース（３０）内に収納可能なものである。
【００１７】
第二に、ホルダーアーム（６０）には、例えば図１及び図４に示すように、次の構成を備える。
（４）第１アーム（１００）
第１アーム（１００）は、例えば図１及び図４に示すように、ホルダー本体（５０）に対して一端部が回転可能に支持され、他端部に容器（例えばカップＣ）の底を載置可能な第１載置部（１０２）を有するものである。
【００１８】
（５）第２アーム（１１０）
第２アーム（１１０）は、例えば図１及び図４に示すように、第１アーム（１００）の他端部に一端部が第１リンク部（１４０）を介して回転可能に支持されるとともに、展開状態において、当該一端部に第１載置部（１０２）に連続して、容器（例えばカップＣ）の底を載置可能な第２載置部（１１１）を有するものである。
【００１９】
（６）第３アーム（１２０）
第３アーム（１２０）は、例えば図１及び図４に示すように、第２アーム（１１０）の他端部に一端部が回転可能に支持され、他端部がホルダー本体（５０）に第２リンク部（１５０）を介して回転可能に支持されるものである。
（請求項２）
請求項２に記載の発明は、上記した請求項１に記載の発明の特徴点に加え、次の点を特徴とする。
【００２０】
すなわち、第１リンク部（１４０）は、例えば図１に示すように、次の構成を備える。
（１）第１水平軸（１４１）
第１水平軸（１４１）は、ホルダー本体（５０）のスライド方向と直交するものである。
【００２１】
（２）第１長穴（１４２）
第１長穴（１４２）は、ホルダー本体（５０）のスライド方向に長く延び、第１水平軸（１４１）を回転可能に支持するものである。
（請求項３）
請求項３に記載の発明は、上記した請求項１又は請求項２に記載の発明の特徴点に加え、次の点を特徴とする。
【００２２】
すなわち、第２リンク部（１５０）は、例えば図１に示すように、次の構成を備える。
（１）第２水平軸（１５１）
第２水平軸（１５１）は、ホルダー本体（５０）のスライド方向と直交するものである。
【００２３】
（２）第２長穴（１５２）
第２長穴（１５２）は、ホルダー本体（５０）のスライド方向に長く延び、第２水平軸（１５１）を回転可能に支持するものである。
（請求項４）
請求項４に記載の発明は、上記した請求項１〜３のいずれか１項に記載の発明の特徴点に加え、次の点を特徴とする。
【００２４】
すなわち、ホルダーアーム（６０）には、例えば図４に示すように、付勢手段（１３０）を備える。
付勢手段（１３０）は、ホルダーアーム（６０）を折り畳み状態から展開状態に向かって付勢するためのものである。
（請求項５）
請求項５に記載の発明は、上記した請求項４に記載の発明の特徴点に加え、次の点を特徴とする。
【００２５】
すなわち、付勢手段（１３０）は、例えば図４に示すように、次の構成を備える。
（１）第１付勢手段（１３１）
第１付勢手段（１３１）は、第１アーム（１００）を、ホルダー本体（５０）に対して回転可能に支持された一端部を中心として下方に向かって回転させるためのものである。
【００２６】
（２）第２付勢手段（１３２）
第２付勢手段（１３２）は、第１リンク部（１４０）に位置し、第１載置部（１０２）と第２載置部（１１１）とを水平方向に連続するように展開するためのものである。
（請求項６）
請求項６に記載の発明は、上記した請求項１〜５のいずれか１項に記載の発明の特徴点に加え、次の点を特徴とする。
【００２７】
前記ホルダー本体（５０）は、例えば図１及び図５に示すように、取付ベース（３０）にスライド可能に保持され、取付ベース（３０）内に収納可能なスライダー（４０）に対して、スライド可能に保持されている
【００２８】
【発明の実施の形態】
（図面の説明）
図１〜８は、本発明の実施の形態の一例をそれぞれ示すものである。
図１は、ホルダー本体を引き出した状態のカップホルダー装置の一部側面図、図２はホルダー本体を引き出した状態のカップホルダー装置の斜視図、図３はホルダー本体を引き出した状態のカップホルダー装置の平面図、図４はホルダーアームの分解斜視図、図５はホルダー本体を押し込む途中のカップホルダー装置の一部側面図、図６は図５の状態からホルダー本体を更に押し込んだ状態のカップホルダー装置の一部側面図、図７はホルダー本体の収納状態のカップホルダー装置の一部側面図、図８はホルダー本体を押し込む途中のカップホルダー装置の平面図をそれぞれ示すものである。
（カップホルダー装置１０）
図２中、１０は、カップホルダー装置を示すものである。
【００２９】
上記カップホルダー装置１０は、図１に示すように、例えば車内のインストルメント・パネル２０に固定される。
なお、カップホルダー装置１０の取付位置は、インストルメント・パネル２０に限定されず、例えばセンターコンソールやアームレスト等でも良い。また、カップホルダー装置１０の取付位置は、自動車に限定されず、航空機、船舶等にも使用できる。
【００３０】
具体的には、カップホルダー装置１０は、図２に示すように、大別すると、次のパーツを備える。
（１）取付ベース３０
（２）スライダー４０
（３）ホルダー本体５０
（４）ホルダーアーム６０
なお、カップホルダー装置１０のパーツは、上記した（１）〜（４）に限定されない。例えば、スライダー４０を省き、ホルダー本体５０を取付ベース３０に対して直接、スライド可能に保持しても良い。
（取付ベース３０）
取付ベース３０は、図７に示すように、インストルメント・パネル２０に埋設状に固定され、スライダー４０及びホルダー本体５０は、図１及び図７に示すように、インストルメント・パネル２０の出入り口２１から出入りする。
【００３１】
具体的には、取付ベース３０には、図３に示すように、次のパーツを備える。
（１）ロック手段７０のロックピン７１
（２）押出装置８０
（３）摺接装置９０
なお、取付ベース３０のパーツは、上記した（１）〜（３）に限定されない。
（押出装置８０）
押出装置８０は、図３に示すように、取付ベース３０の奥側に位置し、スライダー４０を出入り口２１に向かって途中まで押し出すためのものである。
【００３２】
なお、押出装置８０には、スプリングを使用しているが、これに限定されない。（摺接装置９０）
摺接装置９０は、図３に示すように、取付ベース３０の左右両側に位置し、スライダー４０に弾性的に当接することで、スライダー４０の左右方向のガタ付きを防止したり、或いはスライダー４０をスライドする際に適度な摩擦力を付与するためのものである。
【００３３】
なお、摺接装置９０には、板バネを使用しているが、これに限定されない。
（スライダー４０）
スライダー４０は、図１及び図７に示すように、取付ベース３０に対してスライド可能に保持され、取付ベース３０内に収納可能なものである。
具体的には、スライダー４０には、図１に示すように、次のパーツを備える。
【００３４】
なお、スライダー４０のパーツは、次の（１）に限定されない。
（１）弾性突起部４１
弾性突起部４１は、図１に示すように、スライダー４０の下面から上方に突出し、ホルダー本体５０に弾性的に当接するものである。
なお、弾性突起部４１には、板バネを使用しているが、これに限定されない。
（ホルダー本体５０）
ホルダー本体５０は、図５及び図７に示すように、スライダー４０に対してスライド可能に保持され、図７に示すように、スライダー４０とともに取付ベース３０内に収納可能で、図１に示すように、スライダー４０から引き出した状態で、容器、例えばカップＣを上方から受け入れて、受け入れたカップＣの側部を保持する容器保持部５１を有するものである。
【００３５】
なお、容器は、カップＣに限定されず、飲料を入れた缶やペットボトル、コップ等を含むものである。
具体的には、ホルダー本体５０には、図１〜３に示すように、大別すると、次のパーツを備える。
（１）容器保持部５１
（２）ハンドル部５２
（３）ロック手段７０のカム溝７２
なお、ホルダー本体５０のパーツは、上記した（１）〜（３）に限定されない。（容器保持部５１）
容器保持部５１は、図１に示すように、カップＣを上方から受け入れて、受け入れたカップＣの側部を保持するものである。
【００３６】
具体的には、容器保持部５１には、図２及び図３に示すように、次のパーツを備える。
なお、容器保持部５１のパーツは、次の（１）〜（３）に限定されない。
（１）カップ穴５３
カップ穴５３は、図２及び図３に示すように、容器保持部５１の表裏面に半円形に貫通する。
【００３７】
なお、カップ穴５３の穴形状は、半円形に限定されず、円形や多角形状でも良い。
（２）サイドアーム５４
サイドアーム５４は、図２及び図３に示すように、カップ穴５３の側面の開口部を塞ぐものであり、カップ穴５３の内縁に沿って円弧状に屈曲する。
【００３８】
サイドアーム５４は、図２及び図３に示すように、一端部がホルダー本体５０に対して軸支され、図示しないが、スプリングによりカップ穴５３の側面の開口部から突出する方向に付勢されている。
（３）保持装置５５
保持装置５５は、図３に示すように、カップ穴５３に向かって弾性的に突出し、一端部がホルダー本体５０に対して軸支され、図示しないが、スプリングにより水平方向に付勢されている。
（ハンドル部５２）
ハンドル部５２は、図１及び図２に示すように、斜め下方に向かって延び、指を掛けてホルダー本体５０を手前に引き出すためのものである。
（ロック手段７０）
ロック手段７０は、図３に示すように、押出装置８０がスライダー４０を押し出そうとする力に抗して、スライダー４０及びホルダー本体５０を取付ベース３０内の収納位置にロックするためのものである。
【００３９】
具体的には、図３に示すように、取付ベース３０に、ロックピン７１を設け、ホルダー本体５０にカム溝７２を設けている。
なお、ロック手段７０は、ロックピン７１とカム溝７２に限定されず、ロックピンとフックの組み合わせや、或いは浮き出しラッチとストライクを組み合わせて使用しても良い。
【００４０】
収納位置では、図示しないが、ロックピン７１が、カム溝７２にロックされることで、取付ベース３０がホルダー本体５０に対してロックされ、スライダー４０は、ホルダー本体５０を介して取付ベース３０にロックされる。
ホルダー本体５０を引き出す際には、図示しないが、ホルダー本体５０を押し込むと、ロックピン７１がカム溝７２から開放され、スライダー４０が押出装置８０により、出入り口２１から途中まで押し出される。
（ホルダーアーム６０）
ホルダーアーム６０は、図１に示すように、ホルダー本体５０をスライダー４０から引き出した際に、容器保持部５１の下側に展開して、容器保持部５１から挿入されたカップＣの底を載置可能であり、例えば図５に示すように、スライダー４０とともに取付ベース３０内に収納した状態では、折り畳まれた状態で取付ベース３０内に収納可能なものである。
【００４１】
具体的には、ホルダーアーム６０は、図１及び図４に示すように、次のパーツを備える。
（１）第１アーム１００
（２）第２アーム１１０
（３）第３アーム１２０
なお、ホルダーアーム６０のパーツは、上記した（１）〜（３）に限定されない。
（第１アーム１００）
第１アーム１００は、図１及び図４に示すように、ホルダー本体５０に対して一端部が回転可能に支持され、他端部にカップＣの底を載置可能な第１載置部１０２を有するものである。
【００４２】
具体的には、第１アーム１００には、図１及び図４に示すように、大別すると、次のパーツや部分を備える。
なお、第１アーム１００のパーツや部分は、次の（１）〜（３）に限定されない。
（１）第１支持軸１０１
第１支持軸１０１は、図１及び図４に示すように、ホルダー本体５０の軸受部５６に支持され、当該第１支持軸１０１を中心に第１アーム１００を回転可能に支持するためのものである。
【００４３】
（２）第１載置部１０２
第１載置部１０２は、図１及び図４に示すように、カップＣの底を載置可能なものである。
（３）付勢手段１３０の第１付勢手段１３１
付勢手段１３０は、図４に示すように、ホルダーアーム６０を折り畳み状態から展開状態に向かって付勢するためのものである。
【００４４】
第１付勢手段１３１は、図４に示すように、第１アーム１００を、ホルダー本体５０に対して回転可能に支持された一端部、すなわち第１支持軸１０１を中心として下方に向かって回転させるためのものである。
なお、第１付勢手段１３１には、スプリングを使用しているが、これに限定されない。
（第２アーム１１０）
第２アーム１１０は、図１及び図４に示すように、第１アーム１００の他端部に一端部が第１リンク部１４０を介して回転可能に支持されるとともに、展開状態において、当該一端部に第１載置部１０２に連続して、カップＣの底を載置可能な第２載置部１１１を有するものである。
【００４５】
具体的には、第２アーム１１０には、図１及び図４に示すように、大別すると、次のパーツや部分を備える。
なお、第２アーム１１０のパーツや部分は、次の（１）〜（３）に限定されない。
（１）第１リンク部１４０
第１リンク部１４０は、図１及び図４に示すように、第２アーム１１０を第１アーム１００に対して回転、且つスライド可能に支持するためのものである。
【００４６】
（２）第２載置部１１１
第２載置部１１１は、図１に示すように、展開状態において第１載置部１０２に連続して、カップＣの底を載置可能なものである。
（３）付勢手段１３０の第２付勢手段１３２
第２付勢手段１３２は、図１及び図４に示すように、第１リンク部１４０に位置し、第１載置部１０２と第２載置部１１１とを水平方向に連続するように展開するためのものである。
【００４７】
なお、第２付勢手段１３２には、スプリングを使用しているが、これに限定されない。
（第３アーム１２０）
第３アーム１２０は、図１及び図４に示すように、第２アーム１１０の他端部に一端部が回転可能に支持され、他端部がホルダー本体５０に第２リンク部１５０を介して回転可能に支持されるものである。
【００４８】
具体的には、第３アーム１２０には、図１及び図４に示すように、大別すると、次のパーツや部分を備える。
なお、第３アーム１２０のパーツや部分は、次の（１）〜（２）に限定されない。
（１）第３支持軸１２１
第３支持軸１２１は、図１及び図４に示すように、第３アーム１２０の一端部を第２アーム１１０を回転可能に支持するためのものである。
【００４９】
（２）第２リンク部１５０
第２リンク部１５０は、図１及び図４に示すように、第３アーム１２０をホルダー本体５０に対して回転、且つスライド可能に支持するためのものである。
（第１リンク部１４０）
第１リンク部１４０は、前述したように、図１及び図４に示すように、第２アーム１１０を第１アーム１００に対して回転、且つスライド可能に支持するためのものである。
【００５０】
具体的には、第１リンク部１４０には、図１及び図４に示すように、大別すると、次のパーツや部分を備える。
なお、第１リンク部１４０のパーツや部分は、次の（１）〜（２）に限定されない。
また、第１水平軸１４１を、第１リンク部１４０に設け、第１長穴１４２を第２アーム１１０に設けているが、逆に、第１水平軸１４１に第２アーム１１０に設け、第１長穴１４２を第１リンク部１４０に設けても良い。
【００５１】
（１）第１水平軸１４１
第１水平軸１４１は、図１及び図４に示すように、ホルダー本体５０のスライド方向と直交するものである。そして、第１水平軸１４１は、第１リンク部１４０に設けている。
（２）第１長穴１４２
第１長穴１４２は、図１及び図４に示すように、ホルダー本体５０のスライド方向に長く延び、第１水平軸１４１を回転可能に支持するものである。そして、第１長穴１４２は、第２アーム１１０に設けている。
【００５２】
具体的には、第１長穴１４２は、図１及び図４に示すように、斜め上方に傾斜して延びている。
（第２リンク部１５０）
第２リンク部１５０は、前述したように、図１及び図４に示すように、第３アーム１２０をホルダー本体５０に対して回転、且つスライド可能に支持するためのものである。
【００５３】
具体的には、第２リンク部１５０には、図１及び図４に示すように、大別すると、次のパーツや部分を備える。
なお、第２リンク部１５０のパーツや部分は、次の（１）〜（２）に限定されない。
また、第２水平軸１５１を、第３アーム１２０に設け、第２長穴１５２をホルダー本体５０に設けているが、逆に、第２水平軸１５１をホルダー本体５０に設け、第２長穴１５２を第３アーム１２０に設けても良い。
【００５４】
（１）第２水平軸１５１
第２水平軸１５１は、図１及び図４に示すように、ホルダー本体５０のスライド方向と直交するものである。そして、第２水平軸１５１は、第３アーム１２０に設けている。
（２）第２長穴１５２
第２長穴１５２は、図１及び図４に示すように、ホルダー本体５０のスライド方向に長く延び、第２水平軸１５１を回転可能に支持するものである。そして、第２長穴１５２は、ホルダー本体５０に設けている。
【００５５】
具体的には、第２長穴１５２は、図１に示すように、ホルダー本体５０のハンドル部５２の内面に沿って斜め上方に向かって傾斜している。
（軸受部５６）
軸受部５６は、図１に示すように、ホルダー本体５０から後部から下方に向かって延び、第１アーム１００の第１支持軸１０１を回転可能に支持するためのものである。
【００５６】
具体的には、軸受部５６には、図１に示すように、次の部分を備える。
なお、軸受部５６の部分は、次の（１）に限定されない。
（１）円筒部５７
円筒部５７は、軸受部５６の側面から横向きに延び、スライダー４０の弾性突起部４１に当接するものである。
【００５７】
すなわち、図１に示すように、ホルダー本体５０を手前に引き出した状態から、図５に示すように、ホルダー本体５０を押し込むと、円筒部５７が弾性突起部４１を乗り越えて、スライダー４０に対してホルダー本体５０が後退する。
円筒部５７が弾性突起部４１を乗り越える際に、適度なクリックが発生し、又、ホルダー本体５０の不用意な前進が阻止される。
【００５８】
同様に、図５に示すように、後退したホルダー本体５０を、図１に示すように、手前に引き出すと、円筒部５７が弾性突起部４１を乗り越えて、スライダー４０に対してホルダー本体５０が前進する。
その際にも、適度なクリックが発生し、又、ホルダー本体５０の不用意な後退が防止される。
（使用方法）
上記構成を備えるカップホルダー装置１０の使用方法について、以下に説明する。
（収納方法）
まず、図１に示すように、引き出した状態のホルダー本体５０を取付ベース３０内に収納するには、図５に示すように、ハンドル部５２を取付ベース３０に向かって押し込めば良い。
【００５９】
ホルダー本体５０が押し込まれると、ホルダー本体５０が、図５に示すように、スライダー４０に対して後退する。
このとき、ホルダーアーム６０の第１アーム１００の斜めに傾斜した斜面が、スライダー４０に押され、ホルダーアーム６０が、図５及び図６に示すように、折り畳まれれてスライダー４０内に収納される。
【００６０】
同時に、ホルダー本体５０のサイドアーム５４も、スライダー４０に押され、サイドアーム５４が、図８に示すように、カップ穴５３内に引っ込む。
さらに、ハンドル部５２を取付ベース３０に向かって更に押し込むと、スライダー４０が、図６及び図７に示すように、ホルダー本体５０に押されて、取付ベース３０内を後退する。
【００６１】
そして、ホルダー本体５０のカム溝７２が、図示しないが、取付ベース３０の奥のロックピン７１に係合し、やがてロックピン７１がカム溝７２中にロックされることで、スライダー４０及びホルダー本体５０が、図７に示すように、取付ベース３０内の収納位置にロックされる。
このとき、取付ベース３０内の押出装置８０が、図示しないが、スライダー４０に押されてバネ復元力を蓄積する。
（引き出し方法）
一方、収納状態のホルダー本体５０を引き出すには、ハンドル部５２を取付ベース３０に向かって少し押し込めば良い。
【００６２】
ハンドル部５２が押し込まれると、図示しないが、ロックピン７１がカム溝７２から係脱し、スライダー４０が、押出装置８０のばね復元力により、取付ベース３０の出入り口２１に向かって途中まで押し出される。
その後、ホルダー本体５０のハンドル部５２に指を掛けて、図１〜３に示すように、手前に引き出せば良い。
【００６３】
ホルダー本体５０を引き出すと、図１に示すように、折り畳まれれていたホルダーアーム６０が、図１及び図２に示すように、第１付勢手段１３１及び第２付勢手段１３２のばね復元力により、下方に展開する。
同時に、サイドアーム５４が、図３に示すように、スプリング等のばね復元力により、ホルダー本体５０の側方に突出し、カップＣが挿入可能な円形の容器保持部５１が形成される。
【００６４】
【発明の効果】
本発明は、以上のように構成されているので、以下に記載されるような効果を奏する。
（請求項１）
請求項１に記載の発明によれば、次のような効果を奏する。
【００６５】
すなわち、請求項１に記載の発明によれば、カップの底を載置するための載置部を二分割して、ホルダー本体の収納時には折り畳まれるようにすることで、収納性を損なうことがないように考慮し、ホルダー本体を引き出したときに、展開してカップの底を安定して保持することができる。
（請求項２）
請求項２に記載の発明によれば、上記した請求項１に記載の発明の効果に加え、次のような効果を奏する。
【００６６】
すなわち、請求項２に記載の発明によれば、第１アームと第２アームとの間の第１リンク部の構造を簡便にすることができる。
（請求項３）
請求項３に記載の発明によれば、上記した請求項１又は請求項２に記載の発明の効果に加え、次のような効果を奏する。
【００６７】
すなわち、請求項３に記載の発明によれば、ホルダー本体と第３アームとの間の第２リンク部の構造を簡便にすることができる。
（請求項４）
請求項４に記載の発明によれば、上記した請求項１〜３のいずれか１項に記載の発明の効果に加え、次のような効果を奏する。
【００６８】
すなわち、請求項４に記載の発明によれば、付勢手段の付勢力を利用して、ホルダーアームを折り畳み状態からスムーズに展開することができる。
（請求項５）
請求項５に記載の発明によれば、上記した請求項４に記載の発明の効果に加え、次のような効果を奏する。
【００６９】
すなわち、請求項５に記載の発明によれば、付勢手段の構造を簡便にすることができる。
（請求項６）
請求項６に記載の発明によれば、上記した請求項１〜５のいずれか１項に記載の発明の効果に加え、次のような効果を奏する。
【００７０】
すなわち、請求項６に記載の発明によれば、取付ベースとホルダー本体との間に、スライダーを介在することで、取付ベースの奥行きに対するホルダー本体の引き出し長を延長することができる。
【図面の簡単な説明】
【図１】ホルダー本体を引き出した状態のカップホルダー装置の一部側面図である。
【図２】ホルダー本体を引き出した状態のカップホルダー装置の斜視図である。
【図３】ホルダー本体を引き出した状態のカップホルダー装置の平面図である。
【図４】ホルダーアームの分解斜視図である。
【図５】ホルダー本体を押し込む途中のカップホルダー装置の一部側面図である。
【図６】図５の状態からホルダー本体を更に押し込んだ状態のカップホルダー装置の一部側面図である。
【図７】ホルダー本体の収納状態のカップホルダー装置の一部側面図である。
【図８】ホルダー本体を押し込む途中のカップホルダー装置の平面図である。
【符号の説明】
１０　カップホルダー装置　　２０　インストルメント・パネル
２１　出入り口　　　　　　　３０　取付ベース
４０　スライダー　　　　　　４１　弾性突起部
５０　ホルダー本体　　　　　５１　容器保持部
５２　ハンドル部　　　　　　５３　カップ穴
５４　サイドアーム　　　　　５５　保持装置
５６　軸受部　　　　　　　　５７　円筒部
６０　ホルダーアーム　　　　７０　ロック手段
７１　ロックピン　　　　　　７２　カム溝
８０　押出装置　　　　　　　９０　摺接装置
１００　第１アーム　　　　　　１０１　第１支持軸
１０２　第１載置部　　　　　　１１０　第２アーム
１１１　第２載置部　　　　　　１２０　第３アーム
１２１　第３支持軸　　　　　　１３０　付勢手段
１３１　第１付勢手段　　　　　１３２　第２付勢手段
１４０　第１リンク部　　　　　１４１　第１水平軸
１４２　第１長穴　　　　　　　１５０　第２リンク部
１５１　第２水平軸　　　　　　１５２　第２長穴
【図１】
2004058812.tif 000003
【図２】
2004058812.tif 000004
【図３】
2004058812.tif 000005
【図４】
2004058812.tif 000006
【図５】
2004058812.tif 000007
【図６】
2004058812.tif 000008
【図７】
2004058812.tif 000009
【図８】
2004058812.tif 000010